(57)【要約】  薬物送達デバイスに着脱可能に取り付けられるように構成されたセンサデバイスであって、導体素子のアレイを含み、各導体素子は、それぞれの共振回路の一部を形成しそれに加えられる信号を有するように動作することができる、センサデバイス。薬物送達デバイスは、導電性領域を支持し薬物送達デバイスの長手方向軸に対して平行な経路に沿って動くように構成される、第１の可動要素を有する。センサデバイスが薬物送達デバイスに取り付けられたとき、導体素子のアレイは、各共振回路が各共振回路のそれぞれの導体素子に対する第１の可動要素上に支持される導電性領域の近さを示す信号を出力するように動作可能であるように配置される。センサデバイスは、共振回路から出力される信号を受け、受けた信号に基づいて第１の可動要素の経路に沿った位置に関連する情報を判定するように構成された回路をさらに含む。
2019501676.tif 000002
【特許請求の範囲】
【請求項１】
薬物送達デバイスに着脱可能に取り付けられるように構成されたセンサデバイスであって：
それぞれの共振回路の一部を形成しそれに加えられる信号を有するように動作可能な導体素子のアレイであって、薬物送達デバイスの長手方向軸に対して平行な経路に沿って動くように構成された、導電性領域を支持する第１の可動要素を有する薬物送達デバイスに該センサデバイスが取り付けられたとき、各共振回路が該各共振回路のそれぞれの導体素子に対する第１の可動要素上に支持される導電性領域の近さを示す信号を出力するように動作可能であるように該センサデバイス内に配置される、導体素子のアレイと；
共振回路から出力される信号を受け、受けた信号に基づいて、第１の可動要素の経路に沿った位置に関連する情報を判定するように構成された回路と
を含む、前記センサデバイス。
【請求項２】
各共振回路は、異なる共振周波数を有する、請求項１に記載のセンサデバイス。
【請求項３】
導体素子のアレイは、センサデバイスが薬物送達デバイスに取り付けられたときアレイの導体素子が可動要素の動きの最大範囲に相当する長さに沿って互いに概ね等間隔に配置されるように、センサデバイス内に配置される、請求項１または２に記載のセンサデバイス。
【請求項４】
回路は、各共振回路から出力される共振信号の振幅を測定し、第１の可動要素上に支持される導電性領域の近さによる各共振信号の減衰の量を判定するように構成される、請求項１〜３のいずれか１項に記載のセンサデバイス。
【請求項５】
センサデバイスが薬物送達デバイスに取り付けられたとき薬物送達デバイス上で外部から見える符号化された情報を読み取るように動作可能であるようにセンサデバイス内に配置された感知装置を含み、ここで、回路は、符号化された情報に基づいて、薬物送達デバイスの動作に関係する情報を判定するように構成される、
請求項１〜４のいずれか１項に記載のセンサデバイス。
【請求項６】
回路は、符号化された情報および第１の可動要素の経路に沿った位置に基づいて、薬物送達デバイスに現在ダイヤル設定されている薬物用量に関係する情報を判定するように構成される、請求項５に記載のセンサデバイス。
【請求項７】
符号化された情報の少なくとも一部は、少なくとも薬物送達デバイスの第２の可動要素上に設けられ、該第２の可動要素は、薬物送達デバイス内で回転可能であり、回路は、符号化された情報に基づいて、薬物送達デバイス内の第２の可動要素の回転の度合いを判定するように構成される、請求項６に記載のセンサデバイス。
【請求項８】
回路は、第１の可動要素の経路に沿った位置および第２の可動要素の回転の度合いに基づいて、現在ダイヤル設定されている薬物用量に関係する情報を判定するように構成される、請求項７に記載のセンサデバイス。
【請求項９】
回路は、符号化された情報に基づいて、薬物送達デバイスの動作モードを判定するように構成される、請求項５〜８のいずれか１項に記載のセンサデバイス。
【請求項１０】
符号化された情報の少なくとも一部は、送達デバイス内に形成されるアパーチャまたは窓を通して外部から見え、感知装置は、センサデバイスが薬物送達デバイスに取り付けられたとき、感知装置がアパーチャまたは窓から受けた光を検出するように動作可能になるように、センサデバイス内に配置される、請求項５〜９のいずれか１項に記載のセンサデバイス。
【請求項１１】
感知装置は：
センサデバイスが薬物送達デバイスに取り付けられたとき薬物送達デバイスのアパーチャまたは窓の方へ光を投影するように構成された光源装置と；
アパーチャまたは窓から反射された光を受けるように構成された光センサ装置と
を含む、請求項１０に記載のセンサデバイス。
【請求項１２】
少なくとも、薬物送達デバイスの動作モードに関する情報、および薬物送達デバイスに現在ダイヤル設定されている薬物用量に関する情報に基づいて、投薬された薬物用量の履歴を記憶するように構成される、請求項６〜１１のいずれか１項に記載のセンサデバイス。
【請求項１３】
薬物送達システムであって：
請求項１〜１２のいずれか１項に記載のセンサデバイスと；
経路に沿って動くように構成された第１の可動要素を有する薬物送達デバイスと
を含む、前記薬物送達システム。
【請求項１４】
第１の可動要素は、下にある要素に沿って動くことができ、特定の方向における第１の可動要素の動きにより、経路に沿って連続する位置で、下にある要素が外部から見えるようになるように構成される、請求項１３に記載の薬物送達システム。
【請求項１５】
薬物送達デバイスは、デバイス内で回転可能な第２の可動要素を含み、該第２の可動要素の回転および第１の可動要素の動きは相互依存しており、第２の可動要素は、その外部の一部分の周りに設けられるコードを含み、該コードの一部は、薬物送達デバイスに形成される窓またはアパーチャを通して外部から見え、センサデバイスは、窓またはアパーチャの上に位置する感知装置を含み、該感知装置は、コードのうち窓またはアパーチャを通して外部から見える部分を読み取るように構成され、回路は、コードの外部から見える部分および第１の可動要素の経路に沿った位置に基づいて、薬物送達デバイスに現在ダイヤル設定されている薬物用量に関係する情報を判定するように構成される、請求項１３または１４に記載の薬物送達システム。
【発明の詳細な説明】
【技術分野】
【０００１】
本発明は、注射ペンのような薬物送達デバイスに着脱可能に取り付けることができるセンサデバイスに関する。
【背景技術】
【０００２】
様々な疾病で、薬剤の注射による定期的な治療が必要とされている。そのような注射は、注射デバイスを用いて実行することができ、医療従事者または患者自身によって適用される。一例として、１型および２型の糖尿病は、たとえば１日に１回または数回のインスリン用量の注射により、患者自身によって治療することができる。たとえば、充填済みの使い捨てインスリンペンが注射デバイスとして使用可能である。あるいは、再使用可能なペンを使用することもできる。再使用可能なペンは、空の薬剤カートリッジを新しいものと交換することができる。どちらのペンも、各使用前に交換される１組の１回使い切りの針を装備することができる。次いで、たとえば、投薬量ノブを回し（ダイヤル設定し）、インスリンペンの用量窓またはディスプレイから実際の用量を観察することによって、インスリンペンにおいて、注射予定のインスリン用量を手動で選択することができる。次いで、針を適当な皮膚部分に挿入し、インスリンペンの注射ボタンを押して、用量を注射する。たとえばインスリンペンの誤った取り扱いを防ぐ、または既に適用された用量の経過を追うために、インスリン注射を監視することができるように、たとえば注射されたインスリンのタイプおよび用量の情報など、注射デバイスの状態および／または使用に関する情報を測定することが望ましい。
【０００３】
たとえば特許文献１には、補助デバイスを提供することが記載されている。補助デバイスは、デバイスを注射／薬物送達デバイスに解放可能に取り付けるための嵌合ユニットを含む。デバイスは、カメラを含み、注射ペンの投薬量窓を通して見える捕捉された像上で光学式文字認識（ＯＣＲ）を実行し、それによって注射デバイスにダイヤル設定された薬剤の用量を判定するように構成される。そのような補助デバイスが用量を成功裏に判定するために、投薬量窓は、静止したままでなければならない。しかし、すべての薬物送達デバイスがこのように動作するとは限らない。
【先行技術文献】
【特許文献】
【０００４】
【特許文献１】ＷＯ２０１１／１１７２１２
【発明の概要】
【課題を解決するための手段】
【０００５】
本発明の第１の態様は、薬物送達デバイスに着脱可能に取り付けられるように構成されたセンサデバイスを提供する。センサデバイスは：
それぞれの共振回路の一部を形成しそれに加えられる信号を有するように動作可能な導体素子のアレイであって、薬物送達デバイスの長手方向軸に対して平行な経路に沿って動くように構成された、導電性領域を支持する第１の可動要素を有する薬物送達デバイスにセンサデバイスが取り付けられたとき、各共振回路が各共振回路のそれぞれの導体素子に対する第１の可動要素上に支持される導電性領域の近さを示す信号を出力するように動作可能であるようにセンサデバイス内に配置される、導体素子のアレイと；
共振回路から出力される信号を受け、受けた信号に基づいて、第１の可動要素の経路に沿った位置に関連する情報を判定するように構成された回路と
を含む。
【０００６】
各共振回路は、異なる共振周波数を有することができる。
【０００７】
導体素子のアレイは、センサデバイスが薬物送達デバイスに取り付けられたとき、アレイの導体素子が可動要素の動きの最大範囲に相当する長さに沿って互いに概ね等間隔に配置されるように、センサデバイス内に配置される。
【０００８】
アレイにおける各導体素子は、少なくとも１つの金属コイルを含むことができる。
【０００９】
回路は、各共振回路から出力される共振信号の振幅を測定し、第１の可動要素上に支持される導電性領域の近さによる各共振信号の減衰の量を判定するように構成される。
【００１０】
センサデバイスは、センサデバイスが薬物送達デバイスに取り付けられたとき薬物送達デバイス上で外部から見える符号化された情報を読み取るように動作可能であるようにセンサデバイス内に配置される感知装置をさらに含むことができ、回路は、符号化された情報に基づいて、薬物送達デバイスの動作に関係する情報を判定するように構成される。
【００１１】
回路は、符号化された情報および第１の可動要素の経路に沿った位置に基づいて、薬物送達デバイスに現在ダイヤル設定されている薬物用量に関係する情報を判定するように構成される。
【００１２】
符号化された情報の少なくとも一部は、少なくとも薬物送達デバイスの第２の可動要素上に設けられ、第２の可動要素は、薬物送達デバイス内で回転可能であり、回路は、符号化された情報に基づいて、薬物送達デバイス内の第２の可動要素の回転の度合いを判定するように構成される。
【００１３】
回路は、第１の可動要素の経路に沿った位置および第２の可動要素の回転の度合いに基づいて、現在ダイヤル設定されている薬物用量に関係する情報を判定するように構成される。
【００１４】
回路は、現在ダイヤル設定されている用量に関係する情報に基づいて、投薬予定の用量サイズおよび／または投薬された用量サイズを判定するように構成される。
【００１５】
回路は、符号化された情報に基づいて、薬物送達デバイスの動作モードを判定するように構成される。
【００１６】
回路は、ダイヤル設定モードから投薬モードへの変化を判定するように構成される。あるいは、またはそれに加えて、回路は、投薬モードからダイヤル設定モードへの変化を判定するように構成することができる。
【００１７】
動作モードの変化の判定は、現在ダイヤル設定されている用量に関する情報をさらに処理することに使用することができる。
【００１８】
符号化された情報の少なくとも一部は、送達デバイス内に形成されるアパーチャまたは窓を通して外部から見え、感知装置は、センサデバイスが薬物送達デバイスに取り付けられたとき、感知装置がアパーチャまたは窓から受けた光を検出するように動作可能になるように、センサデバイス内に配置される。
【００１９】
感知装置は、センサデバイスが薬物送達デバイスに取り付けられたとき薬物送達デバイス内のアパーチャまたは窓の方へ光を投影するように構成された光源装置と、アパーチャまたは窓から反射された光を受けるように構成された光センサ装置とを含むことができる。
【００２０】
センサデバイスは、投薬された薬物用量の履歴を記憶するように構成される。これは、現在ダイヤル設定されている用量を示す情報を記憶することによって実行される。たとえば、薬物送達デバイスの動作モードの変化が検出されたとき、現在ダイヤル設定されている用量の情報は、投薬予定の用量を示すことができる。センサデバイスは、投薬された薬物用量としてそれを記憶することができる。あるいは、またはそれに加えて、センサデバイスは、投薬された薬物用量を判定するように構成することができる。たとえば、投薬された用量は、現在ダイヤル設定されている用量、および投薬動作の終わりに判定されるゼロ用量から算定可能である。
【００２１】
あるいは、投薬された用量は、センサデバイスがダイヤル設定モードから投薬モードへ動作モードの変化を判定したときの現在ダイヤル設定されている用量、およびセンサデバイスが投薬モードからダイヤル設定モードへ動作モードの変化を判定したときの現在ダイヤル設定されている用量から、算定することができる。
【００２２】
動作モードの変化が発生した時間を示すタイムスタンプもまた、用量を示す情報に関連付けて記憶することができる。
【００２３】
それに加えて、または別法として、投薬された薬物または薬剤のタイプを示す情報を、用量を示す情報に関連付けて記憶することができる。
【００２４】
投薬された用量に関する情報、タイムスタンプ、投薬された薬物または薬剤のタイプを示す情報のうちの少なくとも１つを記憶することは、薬物の用量が投薬されるたびに繰り返すことができる。
【００２５】
センサデバイスは、こうして、少なくとも、薬物送達デバイスの動作モードに関する情報、および薬物送達デバイスに現在ダイヤル設定されている薬物用量に関する情報に基づいて、投薬された薬物用量の履歴を記憶するように構成される。
【００２６】
薬物または薬剤のタイプは、薬物標示コードに基づいて判定される。薬物標示コードは、薬物送達デバイスの外側に配置される。薬物標示コードは、薬物送達デバイスの外部から見えるように配置される。センサデバイスは、薬物標示コードを検出するように構成されたセンサを含むことができる。
【００２７】
本発明の第２の態様は、薬物送達システムであって、本発明の第１の態様のセンサデバイスと、経路に沿って動くように構成された第１の可動要素を有する薬物送達デバイスとを含む薬物送達システムを提供する。
【００２８】
第１の可動要素は、下にある要素に沿って動くことができ、特定の方向における第１の可動要素の動きにより、経路に沿って連続する位置で、下にある要素が外部から見えるようになるように構成される。
【００２９】
薬物送達デバイスは、デバイス内で回転可能な第２の可動要素を含むことができ、第２の可動要素の回転および第１の可動要素の動きは相互依存している。第２の可動要素は、その外部の一部分の周りに設けられるコードを含むことができ、コードの一部は、薬物送達デバイスに形成される窓またはアパーチャを通して外部から見える。
【００３０】
センサデバイスは、窓またはアパーチャの上に位置し窓またはアパーチャを通して外部から見えるコードの部分を読み取るように構成された感知装置を含むことができる。回路は、コードの外部から見える部分および第１の可動要素の経路に沿った位置に基づいて、薬物送達デバイスに現在ダイヤル設定されている薬物用量に関する情報を判定するように構成される。
【００３１】
次に、本発明の例示的な実施形態をより完全に理解するために、以下の図面に関連する以下の詳細な説明を参照する。
【図面の簡単な説明】
【００３２】
【図１】本発明の様々な実施形態によるセンサデバイスを使用することができる薬物送達デバイス１の２つの図である。
【図２Ａ】様々な実施形態によるセンサデバイスを使用することができる図１に示されるような薬物送達デバイスの様々な構成要素およびその組合せの例示的な概略図である。
【図２Ｂ】様々な実施形態によるセンサデバイスを使用することができる図１に示されるような薬物送達デバイスの様々な構成要素およびその組合せの例示的な概略図である。
【図２Ｃ】様々な実施形態によるセンサデバイスを使用することができる図１に示されるような薬物送達デバイスの様々な構成要素およびその組合せの例示的な概略図である。
【図２Ｄ】様々な実施形態によるセンサデバイスを使用することができる図１に示されるような薬物送達デバイスの様々な構成要素およびその組合せの例示的な概略図である。
【図２Ｅ】様々な実施形態によるセンサデバイスを使用することができる図１に示されるような薬物送達デバイスの様々な構成要素およびその組合せの例示的な概略図である。
【図３】本発明の様々な実施形態によるセンサデバイスの一部と組み合わせられた図２Ｄに示される薬物送達デバイスの構成要素の概略切断図である。
【図４Ａ】センサデバイスの動作を示すことを目的とした、図３の薬物送達デバイスおよびセンサデバイスのセンサアレイの様々な図である。
【図４Ｂ】センサデバイスの動作を示すことを目的とした、図３の薬物送達デバイスおよびセンサデバイスのセンサアレイの様々な図である。
【図４Ｃ】センサデバイスの動作を示すことを目的とした、図３の薬物送達デバイスおよびセンサデバイスのセンサアレイの様々な図である。
【図４Ｄ】センサデバイスの動作を示すことを目的とした、図３の薬物送達デバイスおよびセンサデバイスのセンサアレイの様々な図である。
【図４Ｅ】センサデバイス２によって検出される共振の減衰、および異なる用量が薬物送達デバイスにダイヤル設定されていることを示す図である。
【図５Ａ】本発明の様々な実施形態によるセンサデバイスを使用することができる一代替薬物送達デバイスの様々な構成要素の例示的な概略図である。
【図５Ｂ】本発明の様々な実施形態によるセンサデバイスを使用することができる一代替薬物送達デバイスの様々な構成要素の例示的な概略図である。
【図５Ｃ】図５Ａおよび図５Ｂの薬物送達デバイスと組み合わせられた本発明の実施形態によるセンサデバイスの概略図である。
【図６】本発明の実施形態によるセンサデバイスの概略ブロック図である。
【図７Ａ】本発明の様々な実施形態によるセンサデバイスによって読み取られる符号化された情報の例の図である。
【図７Ｂ】本発明の様々な実施形態によるセンサデバイスによって読み取られる符号化された情報の例の図である。
【図８】本発明の様々な実施形態によるセンサデバイスと一緒に使用される薬物送達デバイスの構成要素の図である。
【発明を実施するための形態】
【００３３】
説明および図面を通して、同じ参照番号は同じ要素を示す。
【００３４】
図１は、本発明の様々な実施形態による（補助デバイスとも称され、図示されない）センサデバイスを使用することができる薬物送達デバイス１、この例では注射デバイスの２つの図である。
【００３５】
図１の薬物送達デバイス１は、使用者が、デバイス１を用いて送達予定（たとえば投薬または排出予定）の薬物投薬量（またはいくつかの薬物投薬量）を調節することができるように構成される。図１の例では、これは、用量セレクタ１０を回転させる（たとえばダイヤル設定する）と、内部ダイヤル設定機構（図示せず）が、薬物送達機構（図示せず）が作動されたときに投薬予定の薬物の量を調節することで実現される。この例では、薬物送達機構は、デバイスのボタン１１を押すことによって作動される。
【００３６】
薬物送達デバイス１は、少なくとも１つのアパーチャまたは窓１３Ａ、１３Ｂが形成される外側ハウジング１２を含む。明らかなように、アパーチャは、単に、外部ハウジング１２の切り取ったエリアとすることができるが、窓は、ハウジングのうちデバイスの構成要素を見ることができる透明部分であってもよい。便宜上、以下では、少なくとも１つのアパーチャまたは窓１３Ａ、１３Ｂを、単に少なくとも１つの窓と呼ぶことにする。
【００３７】
少なくとも１つの窓１３Ａ、１３Ｂは、可動ゲージ要素１４をハウジング１２の外部から見ることを可能にする。薬物送達デバイスは、用量セレクタ１０がダイヤル設定されると、可動ゲージ要素１４が動かされ、それによって選択された用量が使用者に示されるように構成される。より具体的には、用量セレクタ１０がダイヤル設定されると、ゲージ要素１４は、下にある面１５Ａ、１５Ｂに沿って軸方向に動き、それによって選択された用量が示される。図１の例では、ゲージ要素１４の少なくとも一部の下に位置する面１５Ａは、数字スリーブ１５Ａを含む。数字スリーブ１５Ａの外面上には、薬物用量を示す数字が設けられ、現在選択されている用量を示す数字が少なくとも１つの窓１３Ａ、１３Ｂを通して見える。この例では、数字スリーブ１５Ａは、可動ゲージ要素に形成されるゲージ窓（またはアパーチャ）１４−１を通して見える。可動ゲージ要素１４の他の部分については、以下で論じる。
【００３８】
図１に示す薬物送達デバイス１の上の方の図は、ダイヤル設定が実行される前の状況を示す。したがって、可動ゲージ要素１４は、その第１の（または最初の）位置である、可動ゲージ要素１４が動くことが可能な経路の第１の端部にある。この例では、可動ゲージ要素１４がその経路の第１の端部にあるとき、数字スリーブ１５Ａのうちゲージ窓１４−１を通して見える部分は、数字ゼロ（すなわち、ゼロ用量）を示す。同じく数字のゼロは、使用者が薬物送達デバイス１のボタン１１を押して調節済みの用量を完全に投薬または送達したときである、投薬動作の終わりにも現れる。
【００３９】
図１に示す薬物送達デバイス１の下の方の図は、ダイヤル設定が実行された後の状況を示す。したがって、可動ゲージ要素１４は、その第１の位置から離れて、第１の窓１３Ａを通して見える経路に沿って軸方向に動いている。この例では、デバイス１は、その最大用量にダイヤル設定されており、したがって可動ゲージ要素１４は、その経路の第２の端部へと動いている。この例では、最大用量は「１００」であり、数字スリーブ１５Ａのうちゲージ窓１４−１を通して見える部分は、数字「１００」を示す。いくつかの他の実施形態では、最大用量は、これよりも大きくても小さくてもよい。たとえば、いくつかの実施形態では、最大用量は「１２０」であってよい。
【００４０】
この例では、デバイス１は、第１および第２の窓１３Ａ、１３Ｂを含む。数字スリーブ１５Ａは、第１の窓１３Ａの下に位置しており、第１の窓１３Ａを通して見え、さらに下にある要素１５Ｂは、第２の窓１３Ｂの下に位置しており、第２の窓１３Ｂを通して見えることがある。さらに下にある要素１５Ｂは、いくつかの数字を含んでも含まなくてもよい。さらに下にある面１５Ｂは、面１５Ｂの上に位置しそれに沿って軸方向に動くように構成された可動ゲージ要素１４の第２の部分１４−２から、視覚的に区別可能である。たとえば、可動ゲージ要素１４の第２の部分１４−２は、さらに下にある面１５Ｂとは異なる色、色調または反射率であってよい。たとえば、ゲージ要素１４および下にある面１５Ｂの一方は、明るい色とすることができ（たとえば、明るい色のポリマーから作ることができ）、他方は、暗い色とすることができる（たとえば、暗い色のポリマーから作ることができる）。したがって、使用者は、第２の窓１３Ｂのうちゲージ要素１４（具体的には、第２の部分１４−２）が見える割合を、さらに下にある面１５Ｂが見える割合と比較して判定することによって、選択された用量を判定することができる。これを図１に見ることができ、図１では、デバイス１がそのゼロ用量にダイヤル設定されたとき、ゲージ要素１４は、第２の窓１３Ｂを通して見える経路の長さ全体を覆う。対照的に、デバイス１がその最大用量にダイヤル設定されたとき、ゲージ要素１４のどの部分も、第２の窓を通して見えない。代わりに、さらに下にある面１５Ｂが、第２の窓１３Ｂによって画成される経路の長さ全体に沿って見える。
【００４１】
数字スリーブ１５Ａ（やはりゲージ要素１４の下に位置する面である）もまた、数字スリーブ１５Ａの上に位置するそれに沿って軸方向に動くように構成された可動ゲージ要素１４から、視覚的に区別可能である。たとえば、ゲージ要素１４は、数字スリーブ１５Ａとは異なる色、色調または反射率であってよい。たとえば、ゲージ要素１４および下にある面１５Ａの一方は、明るい色とすることができ（たとえば、明るい色のポリマーから作ることができ）、他方は、暗い色とすることができる（たとえば、暗い色のポリマーから作ることができる）。図示の例では、数字スリーブ１５Ａおよび下にある面１５Ｂは、可動ゲージ要素１４より反射率が高い。
【００４２】
図２Ａ〜２Ｅは、図１の薬物送達デバイスなどの薬物送達デバイスの構成要素の簡略化された概略図である。図２Ａ〜２Ｅの目的は、図１の薬物送達デバイスなどの薬物送達デバイス１の動作を示すことであり；これらの図面は、構成要素の厳密な設計を正確に表すことを意図するものではない。
【００４３】
図２Ａは、数字スリーブ１５Ａの簡略化された概略図である。スリーブ１５Ａの表面上には数字が設けられる。いくつかの例では、数字スリーブの表面の周りには、最小用量から最大用量までの範囲の数字が螺旋状に設けられる。スペースの制約および読み取られる数字の必要性から、数字スリーブ１５Ａにはすべての数字が印刷されるわけではない。たとえば、偶数だけを印刷することができる。
【００４４】
図２Ｂは、可動ゲージ要素１４の簡略化された概略図である。ゲージ要素１４は第１のセクション１４−４を含み、第１のセクション１４−４にはゲージ窓１４−１が設けられる。この例では、第１のセクション１４−４は、数字スリーブ１５Ａを取り囲むように構成されたカラーである（図２Ｃおよび図２Ｄに見ることができる）。第１のセクション１４−４から、第２の部分１４−２および第３の部分１４−３が逆の方向に延びる。第２および第３の部分１４−２、１４−３は、数字スリーブの長手方向軸に対して概ね平行に延びる。
【００４５】
可動ゲージ要素の第２の部分１４−２は、可動ゲージがその第１の位置にあるときに第２の窓１３Ｂ全体を埋める（ｆｉｌｌ）のに十分な長さだけ、第１の部分１４−４から延びるように構成される。第２の部分１４−２は、さらに、ゲージ要素がその第１の位置から離れるように動くとき、数字スリーブ１５Ａの外面の一部分を覆い隠す働きをすることができる。可動ゲージ要素の第３の部分１４−３は、ゲージ要素がその第１位置と第２の位置との間を動くとき、数字スリーブ１５Ａの外面の一部分を覆い隠すように構成される。このようにして、数字スリーブのうち、ゲージ窓１４−１の下に位置する部分だけが、デバイスハウジング１２の第１の窓１３Ａを通して見える。図示の例では、第２および第３の部分１４−２、１４−３は、数字スリーブ１５Ａを完全には取り囲んでおらず、第１の窓１３Ａを覆うのに十分なほどの幅しかない。しかし、いくつかの他の実施形態では、第２および第３の部分１４−２、１４−３は、下に位置する要素１５Ａ、１５Ｂを部分的または全体的に取り囲むことができる。
【００４６】
数字スリーブ１５Ａは、デバイスハウジング１２内でその長手方向軸の周りを回転可能である。したがって、数字スリーブ１５Ａを可動（または回転可能）要素と呼ぶことができる。いくつかの実施形態では、数字スリーブ１５Ａの回転は、用量セレクタ１０の回転によって引き起こされる。
【００４７】
数字スリーブ１５Ａの回転運動ＮＳＲおよびゲージ要素１４の軸方向運動ＧＡは相互依存している。言い換えると、デバイス１のダイヤル設定機構は、数字スリーブ１５Ａが回転させられたとき、ゲージ要素１４がその経路に沿って軸方向に動かされる、または並進運動させられるように構成される。さらに、数字スリーブ１５Ａの回転の度合いは、ゲージ要素１４の軸方向運動の程度に比例して対応する。
【００４８】
図２Ｃは、その最初の位置にあるゲージ要素１４を示し、この例では、ゲージ要素１４はその最初の位置でゼロ用量を示す。図２Ｄは、数字スリーブ１５Ａの回転およびゲージ要素１４のその第１の位置からの並進運動後の数字スリーブ１５Ａおよびゲージ要素１４を示す。図２Ｅは、図２Ｄのこの配置を、簡略化された形のデバイスハウジング１２内に示す。
【００４９】
当技術分野では、（上述のような）用量セレクタ１０の回転を数字スリーブ１５Ａの回転運動およびゲージ要素１４の軸方向運動に変換する、使用者に対して送達予定の用量を調整するための様々なダイヤル設定機構が知られている。２つのそのような機構は、ＷＯ２０１３／１１０５３８Ａ１およびＷＯ２００８／１４５１７１Ａ１に記載されている。そのような機構（および用量がダイヤル設定された後に薬物の送達を引き起こす薬物送達機構）は当技術分野では知られているので、本明細書ではこれ以上詳細に記載しない。
【００５０】
図３は、図２Ｄに示す送達デバイス１の構成要素を極めて簡略化し、図１〜図２Ｄを参照して説明した送達デバイス１とともに使用するためのセンサデバイス２を簡略化して示す切欠き図である。
【００５１】
センサデバイス２は、導体素子２０−１〜２０−６のアレイ２０を含む。センサデバイス２は、回路２１をさらに含む。各導体素子は、回路２１の一部を形成する１つまたはそれ以上の発振器（または回路等価物）によってそれに加えられる所定の周波数の交流電流を有するように構成される。いくつかの実施形態では、各導体素子２０−１〜２０−６は、金属コイルである。コイルは、ＰＣＢ上に簡単にプリントされ、概ね同一であってよい。他の実施形態では、異なる配置および形状の導体素子を使用することができる。たとえば、コイルは、異なるサイズであってよく、および／または異なる数の巻きを有することができる。コイルは、二次元または三次元であってよい。三次元の積層コイルは、信号がそれに加えられると生成されるＥＭ場を増加させる。いくつかの実施形態では、ＰＣＢは、６つの導体素子２０−１〜２０−６を支持する。各共振回路の共振の振幅は、そのコイルによって支配される。したがって、いくつかの実施形態では、各コイルの寸法および構造は同一であることが望まれる。
【００５２】
導体素子／コイル２０−１〜２０−６は、センサデバイス２のハウジングのうち、薬物送達デバイス１とセンサデバイス２が互いに接続されたときに薬物送達デバイス１に隣接する部分の近くになるように、センサデバイス２内に配置される。センサデバイス２が薬物送達デバイス１に隣接して所定位置にあるとき、アレイ２０の導体素子２０−１〜２０−６は、ゲージ要素１４が移動する経路に沿って間隔を置いて配置されている。導体素子２０−１〜２０−６は、ゲージ要素１４の動きの最大範囲に概ね対応する長さに沿って互いに実質的に等間隔に配置される。アレイ２０がそれに沿って延びる軸は、薬物送達デバイス１の長手方向軸に対して概ね平行である。ゲージ要素１４が移動する長さ（第１の窓１３Ａのサイズとほぼ等しい）は、一設計では、３ｃｍである。これは、コイルは、好都合には、ＰＣＢ上に５〜６ｍｍの間隔で収容可能であることを意味する。
【００５３】
図３でも見られるように、ゲージ要素１４は、導電性領域３０を含む。図示の実施形態では、導電性領域３０は、ゲージ要素１４の第１のセクション１４−４の後方、すなわちゲージ窓１４−１の反対側に配置される。ゲージ要素１４の導電性領域３０は、導電性インクもしくはワニス、金属箔、金属プレートまたはインレイであってよい。導電性領域３０は、たとえばアルミニウムまたは銅からなってよい。他の例では、導電性領域３０は、強磁性材料、たとえば鉄、ニッケル、コバルト、およびそれらの合金の大部分、または当業界で既知の他の強磁性材料からなってよい。いくつかの実施形態では、導電性領域３０の幅は、５ｍｍであってよい。
【００５４】
センサデバイス２は、その内部の導体素子２０−１〜２０−６が薬物送達デバイス１の導電性領域３０に隣接して位置するように薬物送達デバイス１に取り付けられるように構成される。したがって、センサデバイス２は、その少なくとも一部が薬物送達デバイス１の後ろへと延びるように取り付けられるように構成される。これは、センサデバイス２が、ゲージ窓１４−１もしくは第１および第２の窓１３Ａ、１３Ｂを覆い隠さない、または、薬剤用量のダイヤル設定および投薬を妨げないという点で、有利となり得る。そのような設計では、第２および第３の部分１４−２、１４−３は、数字スリーブ１５Ａを部分的または完全に取り囲み、導電性領域３０は、別法として、これらの部分のうちの１つの上に配置してもよい。当業者には、ゲージ要素１４上の導電性領域３０を、いくらか他の範囲、たとえば９０度まで、ゲージ窓１４−１に対してオフセットさせることができることは明らかであろう。
【００５５】
いくつかの実施形態では、回路２１の一部を形成する発振器は、各導体素子／コイルに同時に共振信号を加えることに使用される。回路は、加えられる信号の質を向上させる１つまたはそれ以上のバンドパスフィルタを含むことができる。各導体素子２０−１〜２０−６は、関連のキャパシタを有し、そこにおいて発振器、キャパシタおよび導体素子／コイルは、一緒に、共振回路を形成する。当業者には、機能共振回路を構築するには、抵抗などの他の回路構成要素が必要となることが分かるであろう。発振器、キャパシタ、導体素子および場合により抵抗によって形成される各共振回路は、特定の共振周波数を有する。各共振回路の共振周波数は、若干異なってよい。たとえば、各キャパシタは、各共振回路の共振周波数が若干異なるように、異なるキャパシタンスを有することができる。あるいは、またはそれに加えて、各コイルは、各共振回路の共振周波数が若干異なるように、異なるインダクタンスを有することもできる。あるいは、またはそれに加えて、さらに、各共振回路またはいくつかの共振回路は、各共振回路の共振周波数が若干異なるように、異なる抵抗を有することもできる。これは、各コイル２０−１〜２０−６によって生成される磁場間における望ましくない相互作用を回避する助けとなる。これは、さらに、各共振回路の出力信号を識別する助けとなる。いくつかの実施形態では、互いに隣接する共振回路だけが異なる共振周波数を有することができる。たとえば、共振回路１、３および５が第１の周波数を有することができ、その一方で、共振回路２、４および６が第２の共振周波数を有することもできる。理想的には、各回路からの信号が簡単に区別されるように、各共振回路の帯域幅間の重なり合いはない、またはわずかであるべきである。いくつかの実施形態では、共振回路は、互いに隣接する共振回路の周波数が重なり合わない同様のものすることができるように、比較的高い品質係数（Ｑ係数）をそれぞれ有する。各共振回路の共振の振幅はコイルによって支配されるので、いくつかの実施形態では、コイルは同一であり、共振回路の共振周波数の違いは異なるキャパシタンスのキャパシタを用いることで達成されることが望ましい。
【００５６】
センサデバイス２の回路２１は、アレイ２０の導体素子２０−１〜２０−６から出力される信号を受け、受けた信号に基づいて、ゲージ要素１４の位置に関連する情報を判定するように構成される。導体素子２０−１〜２０−６のうちの１つに対してゲージ要素１４の導電性領域３０が近いことによって、その素子における共振の質の低下が引き起こされる。他の導電性領域の近さは、（渦電流損失による）減衰効果を有し、共振信号の振幅の減少を引き起こす。したがって、以下により詳細に説明されるように、導体素子２０−１〜２０−６のアレイのうちのどれが導電性領域３０に最も近いかを決定することが可能になる。
【００５７】
図４Ａ〜図４Ｅは、可動要素がその経路に沿って異なる位置にあるときのセンサデバイス２の動作を示す。この例では、アレイ２０は、第１から第６の導体素子２０−１〜２０−６を含み、第１の素子２０−１は、最小用量がダイヤル設定されたときに可動ゲージ要素１４の導電性領域３０に隣接して位置する。第６の素子２０−６は、最大用量がダイヤル設定されたときに可動ゲージ要素１４の導電性領域３０に隣接して位置する。
【００５８】
図４Ａでは、可動ゲージ要素１４は、（たとえば、用量がその最小値のときである）その最初の位置にある。したがって、第１の導体素子２０−１の共振の質は、他のすべての導体素子におけるよりも低い。いくつかの実施形態では、導電性領域３０が近いことで、第１の導体素子２０−１の共振の振幅はほぼゼロに減少される。
【００５９】
図４Ｂでは、ゲージ要素１４は、約２０％用量の位置へと動いている。この状況では、第２の導体素子２０−２の共振の質が、他のすべての導体素子よりも低い。この位置は、数字スリーブ１５Ａのほぼ完全な１回転に相当することが図２Ａから明らかである。
【００６０】
図４Ｃでは、ゲージ要素１４は、約４０％用量の位置へと動いており、したがって第３の導体素子２０−３が低質の共振を有し、その一方で、第１、第２、第４、第５および第６の素子は高質の共振を有する。この位置は、数字スリーブ１５Ａのほぼ完全な２回転に相当することが図２Ａから明らかである。
【００６１】
最後に、図４Ｄでは、ゲージ要素１４は、約７０％用量の位置へと動いている。この位置では、導電性領域３０は、第４の素子と第５の素子の間に配置され、したがって第４の素子２０−４および第５の素子２０−５の両方が、導電性領域３０の近さにより共振の質が低下する。しかし、質の低下は、導電性領域３０が導体素子の真下に位置するときよりも小さい。
【００６２】
図４Ｅは、ゲージ要素がその動きの経路の様々な位置にあるときにプロセッサ２１が受ける信号を示す線図である。導電性領域３０は、導体素子２０−１〜２０−６に対して４つの異なる位置に示されている。これらの位置は、図４Ａ〜図４Ｄに示されるものと対応する。導電性領域３０が第１の素子２０−１の下に配置されるとき、プロセッサ２１によって第１の要素２０−１から検出される共振の大きさは、白矢印によって示されるように、大きく減衰される。この位置は、ゼロダイヤル設定用量に相当する。他のコイルから検出される共振は、減衰されていない。導電性領域３０が第２および第３の素子の下にそれぞれ配置されるとき、これらの素子の共振は、黒矢印および斜線矢印によって示されるように減衰される。導電性領域３０が第４の素子と第５の素子との間の中間に配置されるとき、網状線矢印によって示されるように、第４および第５の素子の両方の共振が減衰されるが、導電性領域３０が素子の真下に配置されるときよりはそれほど大きくは減衰されない。この位置は、約８４用量に相当する。この情報を用いて、数字スリーブが３回転から４回転の間の回転を受けたことが判定される。
【００６３】
上記から、ゲージ要素１４の大まかな位置の判定に、回路２１が導体素子２０−１〜２０−６から出力された信号をどのようにして使用することができるかが明らかである。そして、数字スリーブ１５Ａの完全な回転の回数は、この位置情報から推論することができる。
【００６４】
いくつかの代替実施形態では、センサデバイス２は、数字スリーブが行うことができる完全な回転の回数に応じて、より多くの、またはより少ない導体素子を有することができる。一般的に、回転の回数よりも１つ多い導体素子が設けられる。上述の例では、数字スリーブは、ゼロ用量位置から最大用量位置まで動くのに５回転する。したがって、６個の導体素子が設けられる。
【００６５】
明らかなように、導体素子２０−１〜２０−６のアレイ２０を用いて用量が判定されるときの精度は、アレイの素子の数によって制限され、素子の数が多いほど精度も高くなる。（アレイ２０の素子の数を単純に増加させるのではなく）センサデバイス２の精度を上げる代替機構について、図５Ａ〜図５Ｃを参照して述べる。
【００６６】
図５Ａは、本発明の実施形態によるセンサデバイス２とともに使用される薬物送達デバイス６の一部を形成することができる回転可能要素６５Ａ、この例では数字スリーブ６５Ａの一例を示す。図５Ｂは、図５Ａの回転可能要素６５Ａを含む送達デバイス６の簡略化された図である。図５Ｂの送達デバイスは、以下に述べる違いを除いて、前述の図を参照して述べた送達デバイスと概ね同じとすることができる。
【００６７】
前述の送達デバイス１と同様に、回転可能要素６５Ａの回転は、可動ゲージ要素１４の軸方向運動と相互依存している。回転の度合いは、可動ゲージ要素１４の軸方向運動に比例することができる。図５Ａおよび図５Ｂの例では、回転可能要素６５Ａの外面の周りには、その回転の向きが判定されることを可能にするための視覚的に区別可能なコード６６が設けられる。たとえば、コードは、回転の向きが０度であるか、９０度であるか、１８０度であるか、２７０度であるかに関するセンサデバイス２による判定を有効にすることができる。０度の回転は、送達デバイス６の用量がその最小値にダイヤル設定されているときの回転可能要素６５Ａの最初の向きに対応する。０度の回転はまた、回転可能要素６５Ａが毎回完全に１回転した後の向きに対応する。他の例では、コード６６は、回転可能要素６５Ａの回転の向きに関してより高いまたはより低い精度を可能にすることができる。たとえば、コード６６は、３０もしくは４５度の精度を可能にすることができ、または１８０度の精度のみを可能にすることができる。いくつかの実施形態では、コード６６は、完全な１回転を含む２４の位置のそれぞれの位置を区別可能にする。コード６６は、回転可能要素の回転の向きがセンサデバイス２によって判定されることを可能にする限り、任意の適した形状をとることができる。この例では、コード６６は、数字スリーブ６５Ａの端部に設けられる。
【００６８】
薬物送達デバイス６のハウジング１２は、さらなるアパーチャまたは窓６３を含み、そこから回転可能要素６５Ａのうちコード６６の一部が設けられている部分が見える。さらなる窓６３は、回転可能要素６５Ａの回転の向きにかかわらず、コードの一部分がさらなる窓６３を通して外部から見えるように、回転可能要素６５Ａに対して位置し、回転可能要素６５Ａに対して向けられている。さらなる窓６３は、回転可能要素が完全に１回転すると各々の回転の向きに対してコード６６の異なるセクションが見えるように、回転可能要素６５Ａに対して位置し、回転可能要素６５Ａに対して向けられている。さらなるアパーチャは、この例では、デバイスハウジング１２のうち、可動ゲージ要素１４が見える少なくとも１つの窓１３Ａ、１３Ｂとは異なる側（または、ハウジングが円筒形もしくはその他の形で丸い場合、デバイスハウジング１２の外面の周り）に設けられる。このようにして、可動ゲージ要素１４は、コードを視界から遮らない。
【００６９】
図５Ｃに概略的に示すように、センサデバイス２は、導体素子２０−１〜２０−６のアレイ２０に加えて、さらなる感知装置２３を含むことができる。感知装置２３は、センサデバイス２が薬物送達デバイス６に取り付けられたとき、感知装置２３が薬物送達デバイス６上で外部から見える符号化された情報６６０（コード６６を含むことができる）を読み取るように動作可能になるように、センサデバイス２内に配置される。この例では、符号化された情報６６０の少なくとも一部が、さらなる窓６３を通して見える。下記で論じる例などのいくつかの他の例では、符号化された情報の少なくとも一部は、ハウジング１２の外部のうち感知装置２３の下に位置する部分上に提供することができる。
【００７０】
感知装置２３は、符号化された情報６６０が読み取られることを有効にする限り、任意の適したタイプのものであってよい。たとえば、感知装置は、カメラもしくは感知要素の小さなアレイを含む光学式の感知装置、磁気もしくは誘導式の感知装置、または伝導／抵抗式の感知装置であってよい。
【００７１】
図５Ｃのセンサデバイス２の回路２１は、符号化された情報６６０に基づいて、薬物送達デバイス６の動作に関係する情報を判定するように構成される。いくつかの特定の例では、回路２１は、符号化された情報６６０およびアレイ２０の導体素子から出力された信号に基づいて、デバイス６がダイヤル設定された現在の用量を判定するように構成される。たとえば、回路２１は、アレイ２０から出力された信号を利用して、発生した回転可能要素６５Ａの完全な回転の回数を判定することができ、感知装置２３によって読み取られた符号化された情報６６０を利用して、回転可能要素６５Ａの回転の向きを判定することができる。言い換えると、アレイ２０から出力された信号を使用して、可動ゲージ要素の軸方向並進運動の範囲、したがって完全な回転の回数を大まかに判定することができ、感知装置によって読み取られた符号化された情報６６０をこの大まかな判定とともに使用して、可動ゲージ要素１４の並進運動の範囲をより精密に判定する（それによって、現在ダイヤル設定されている用量を判定する）ことができる。
【００７２】
アレイ２０は、可動ゲージ要素１４をその最初の位置から最後の位置へ動かすために必要とされる回転可能要素６５Ａの完全な回転の回数よりも１つ多い導体素子を含むことができる。素子２０−１〜２０−６は、回転可能要素６５Ａの完全な１回転ごとに、アレイ２０の連続する素子の出力が変化するように、可動ゲージ要素の導電性領域３０を支持する部分に隣接して分散させることができる。
【００７３】
次いで、回路２１は、感知装置２３によって読み取られた符号化された情報６６０（具体的には、コード６６）を使用して、回転可能要素６５Ａのあらゆる部分回転の程度を判定する。次いで、回転可能要素６５Ａの部分回転の判定された程度と、完全な回転の判定された回数とを組み合わせて、薬物送達デバイス６の現在ダイヤル設定されている用量を判定する。この判定を、下の表３に示す：
【００７４】
たとえば、回路２１が、感知装置２３から、回転可能要素６５Ａが最初の位置にあると判定し、導体素子２０−１〜２０−６から、完全な回転が起きていないと判定した場合、回転可能要素６５Ａはゼロ用量位置にあると算定される。しかし、回路２１が、感知装置２３から、回転可能要素６５Ａが最初の位置にあると判定し、導体素子２０−１〜２０−６から、完全な１回転が起きたと判定した場合、「２４」用量が薬物送達デバイス１にダイヤル設定されたと算定される。同様に、回路２１が、感知装置２３から、回転可能要素６５Ａが（２４可能なうちの）１１番目の位置にあると判定し、導体素子２０−１〜２０−６から、４回の完全な回転が起きたと判定した場合、「８３」用量が薬物送達デバイス１にダイヤル設定されたと算定される。
【００７５】
ここまで、電子デバイス２の構成について、非常に高いレベルで説明した。図６は、センサデバイス２をより詳細に示す。
【００７６】
図６は、様々な実施形態によるセンサデバイス２の簡略化された概略ブロック図である。上述したように、センサデバイス２は、回路２１へ信号を出力するように構成された導体素子２０−１〜２０−６のアレイ２０を含む。いくつかの実施形態では、デバイス２は、符号化された情報を示す信号を回路２１へ出力するように構成されたさらなる感知装置２３を含む。
【００７７】
回路２１は、任意の適当な構成とすることができ、本明細書に記載する機能を実行するのに適した１つまたはそれ以上のプロセッサおよび／またはマイクロプロセッサ２１０の任意の組合せ（簡略化のため、以下、「少なくとも１つのプロセッサ」と呼ぶ）を含むことができる。回路２１は、それに加えて、または別法として、ＡＳＩＣ、ＦＰＧＡなどの１つまたはそれ以上のハードウェアのみの構成要素の任意の組合せを含むこともできる（図６には図示せず）。
【００７８】
回路２１は、ＲＯＭおよびＲＡＭの一方または両方などの１つまたはそれ以上の非過渡的コンピュータ可読メモリ媒体２１１の任意の組合せをさらに含むことができ、メモリ媒体２１１は、少なくとも１つのプロセッサ２１０に接続される。メモリ２１１は、それに記憶されるコンピュータ可読命令２１１Ａを有することができる。コンピュータ可読命令２１１Ａは、少なくとも１つのプロセッサ２１０によって実行されるとき、アレイ２０および感知装置２３の制御動作ならびにアレイ２０および感知装置２３から受けた信号の解釈など、本明細書に記載する機能をセンサデバイス２に実行させることができる。
【００７９】
感知装置２３は、少なくとも１つの光源２３−２と、光センサ２３−１とを含む。光源２３−２は、デバイスハウジング６２内に形成されたさらなる窓６３内に見える符号化された情報６６を照明するためのものである。光センサ２３−１は、光センサに見える（すなわち、光センサの下に位置する）像（符号化された情報６６０を含む）を検出することによって、符号化された情報を読み取るように構成される。像は、面のうち像が提供される異なる部分から後方反射された光を検出することによって検出される。次いで、符号化された情報６６０は回路２１へ渡される。感知装置２３は、図６には示されないが、さらなる非電気構成要素を含むことができる。
【００８０】
センサデバイス２は、表示画面２４（ＬＥＤまたはＬＣＤ画面など）およびデータポート２５の一方または両方をさらに含むことができる。表示画面２４は、回路２１の制御下で、薬物送達デバイス１の動作に関する情報を使用者に表示するように動作可能とすることができる。たとえば、センサデバイス２によって判定された情報を、使用者に表示することができる。センサデバイス２によって判定される情報は、ダイヤル設定された用量を含むことができる。センサデバイス２によって判定することができる他の情報は、投薬されている薬物、薬物送達デバイス１、６のモード、および／または以前に投薬された用量の履歴を含む。この「他の情報」の判定について、図７Aおよび図７Ｂに関して以下に論じる。
【００８１】
データポート２５は、薬物送達デバイス６の動作に関係する記憶された情報をメモリ２１１からＰＣ、タブレットコンピュータ、またはスマートフォンなどの遠隔デバイスへ転送するために使用することができる。同様に、データポート２５を介して、新しいソフトウェア／ファームウェアをセンサデバイスへ転送することができる。データポート２５は、ＵＳＢポートなどの物理的なポートとすることができ、またはＩＲ、ＷｉＦｉ、もしくはＢｌｕｅｔｏｏｔｈ（登録商標）トランシーバなどの仮想もしくは無線のポートとすることができる。
【００８２】
センサデバイス２は、デバイス２の他の構成要素に給電するために、着脱可能または恒久的な（好ましくは、たとえば光起電性セルによって充電可能な）電池２６をさらに含むことができる。電池２６の代わりに、光起電性または容量性の電源を使用することもできる。図６には示されないが、それでもなおセンサデバイス２内に含むことができる他の電気構成要素には、トリガバッファ２７−１、レギュレータ２７−２、電圧抑制器２７−３、およびチャージャチップ２７−４がある。チャージャチップ２７−４は、充電可能な電池が存在する場合に充電するためのものである。
【００８３】
上記で論じたように、感知装置２３によって読み取られる符号化された情報６６０は、回路が回転可能要素１５Ａ、６５Ａの回転の向きを判定することを可能にするために、コード６６の一部分を含むことができる。しかし、いくつかの実施形態では、別法または追加として、感知装置によって読み取られる符号化された情報６６０に、他の動作情報を含むこともできる。たとえば、符号化された情報６６０は、送達されている薬物を示す部分６７（たとえば、バーコードの形態）を含むことができる。これは図７Ａおよび図７Ｂで見ることができ、図７Ａおよび図７Ｂは、感知装置２３の光センサに見える符号化された情報の２つの異なる図の例を示す。符号化された情報６６０の少なくとも一部（コード６６の一部分など）が、薬物送達デバイス６のさらなる窓６３を通して見える。薬物標示コード部分６７は、たとえば、薬物カートリッジのうち、薬物送達デバイス１、６に挿入され、さらなる窓６３を通して見え、したがって感知装置２３によって読み取られる部分上に設けることができる。あるいは、薬物標示コード部分６７は、送達デバイスハウジング１２の外部のうち、センサデバイス２が薬物送達デバイス１、６に取り付けられたとき、さらなる窓６３に隣接し、感知装置２３の光センサ２３−１の下に位置する（したがって、感知装置２３の光センサ２３−１によって可読である）部分上に設けてもよい。
【００８４】
符号化された情報６６０は、薬物送達デバイス１、６のモードを示す部分６８をさらに含むことができる。これは、図７Ａおよび図７Ｂに見ることができ、図７Ａおよび図７Ｂは、デバイス１、６がダイヤル設定モードおよび送達モードの各々にあるときの符号化された情報６６０を示す。この例では、デバイスがダイヤル設定モードにあるとき、モードインジケータ６８は、符号化された情報の一部ではなく（図７Ａに示す）、デバイスが送達モードにあるとき、モードインジケータ６８は、符号化された情報６６０の一部である。したがって、モードインジケータ６８が符号化された情報６６０内に存在するか否かを判定することによって、回路２１は、デバイス１、６のモードを判定することができる。
【００８５】
モードインジケータ６８は、薬物送達機構の作動（たとえば、ボタン１１を押すことによる）に応答して動かされる内部要素上に設けることができる。可動内部要素および薬物送達機構は、薬物送達機構の作動がそれによってダイヤル設定モードから送達モードへ切り替わることで、モードインジケータ６８がさらなる窓６３内に見えるようになる（またはさらなる窓６３から消える）ように、ともに構成される。そのような内部可動要素６９の一例を図８に示し、これは「ロッキングアーム」である。薬物送達デバイス１、６内に位置するとき、ロッキングアーム６９は、薬物送達機構の作動に応答して、たとえばボタン１１を押すことによって、第１の位置から第２の位置へ動くように構成される。ロッキングアーム６９は、さらに、薬物ダイヤル設定機構のその後の作動に応答して、第２の位置から第１の位置へ戻るように構成することができる。あるいは、ロッキングアーム６９は、ボタン１１からの圧力除去に応答して、第２の位置から第１の位置へ戻るように構成することができる。モードインジケータ６８は、ロッキングアーム６９が第１および第２の位置の一方にあるときのみ、窓６３を通して見える。このようにして、センサデバイス２は、センサデバイス２が取り付けられた薬物送達デバイス６のモードを判定することができる。
【００８６】
いくつかの実施形態では、センサデバイス２は、投薬された薬物用量の履歴を記憶するように構成される。これは、モードインジケータ６８に基づいてダイヤル設定モードから送達モードへの変化が検出されたとき、現在ダイヤル設定されている用量を示す情報を記憶することによって実施することができる。モードインジケータ６８がダイヤル設定モードから送達モードに変化したことを検出したとき、現在ダイヤル設定されている用量の情報は、投薬予定用量を示す。センサデバイス２は、この情報を投薬された薬物用量として扱うことができる。あるいは、センサデバイス２は、現在ダイヤル設定されている用量、および投薬動作の終わりに判定されるゼロ用量から、投薬された薬物用量を算定することもできる。あるいは、さらに、センサデバイス２は、モードインジケータが投薬モードへの変化を検出したときの現在ダイヤル設定されている用量、およびモード検出器がダイヤルモードへの変化を検出したときの現在ダイヤル設定されている用量から、投薬された薬物用量を算定することもできる。モード変化が発生した時間を示すタイムスタンプもまた、用量を示す情報に関連付けて記憶することができる。それに加えて、または別法として、薬物標示コード部分６７に基づいて判定される投薬された薬物のタイプを示す情報も、用量情報に関連付けて記憶することができる。これは、薬物の用量が投薬されるたびに繰り返すことができる。
【００８７】
上記の実施形態は、限定的と解釈されるべきでないことを理解されたい。本出願を読めば、他の変形形態および修正形態が当業者には明らかである。さらに、本出願の開示は、本明細書に明示的もしくは暗示的に開示される任意の新規な機能もしくは任意の新規な機能の組合せ、またはその任意の一般論を含むことを理解されたい。本出願または本出願から導出される出願の手続き遂行中に、そのような機能および／またはそのような機能の組合せを包含するために、新しいクレームを策定することができる。
【００８８】
本明細書で使用する用語「薬物」または「薬剤」は、１つまたはそれ以上の薬学的に活性な化合物を説明するために本明細書において使用される。以下に説明されるように、薬物または薬剤は、１つまたはそれ以上の疾患を処置するための、様々なタイプの製剤の少なくとも１つの低分子もしくは高分子、またはその組合せを含むことができる。例示的な薬学的に活性な化合物は、低分子；ポリペプチド、ペプチド、およびタンパク質（たとえばホルモン、成長因子、抗体、抗体フラグメント、および酵素）；炭水化物および多糖類；ならびに核酸、二本鎖または一本鎖ＤＮＡ（裸およびｃＤＮＡを含む）、ＲＮＡ、アンチセンスＤＮＡおよびＲＮＡなどのアンチセンス核酸、低分子干渉ＲＮＡ（ｓｉＲＮＡ）、リボザイム、遺伝子、およびオリゴヌクレオチドを含むことができる。核酸は、ベクター、プラスミド、またはリポソームなどの分子送達システムに組み込むことができる。これらの薬物の１つまたはそれ以上の混合物もまた、企図される。
【００８９】
用語「薬物送達デバイス」は、薬物をヒトまたは動物の体内に投薬するように構成されたあらゆるタイプのデバイスまたはシステムを包含するものである。限定されることなく、薬物送達デバイスは、注射デバイス（たとえばシリンジ、ペン型注射器、自動注射器、大容量デバイス、ポンプ、かん流システム、または眼内、皮下、筋肉内、もしくは血管内送達にあわせて構成された他のデバイス）、皮膚パッチ（たとえば、浸透圧性、化学的、マイクロニードル）、吸入器（たとえば鼻用または肺用）、埋め込み（たとえば、コーティングされたステント、カプセル）、または胃腸管用の供給システムとすることができる。ここに説明される薬物は、針、たとえば小ゲージ針を含む注射デバイスで特に有用であることができる。
【００９０】
薬物または薬剤は、薬物送達デバイスで使用するように適用された主要パッケージまたは「薬物容器」内に含むことができる。薬物容器は、たとえば、カートリッジ、シリンジ、リザーバ、または１つまたはそれ以上の薬学的に活性な化合物の保存（たとえば短期または長期保存）に適したチャンバを提供するように構成された他の容器とすることができる。たとえば、一部の場合、チャンバは、少なくとも１日（たとえば１日から少なくとも３０日まで）の間薬物を保存するように設計することができる。一部の場合、チャンバは、約１ヶ月から約２年の間薬物を保存するように設計することができる。保存は、室温（たとえば約２０℃）または冷蔵温度（たとえば約−４℃から約４℃まで）で行うことができる。一部の場合、薬物容器は、薬物製剤の２つまたはそれ以上の成分（たとえば薬物および希釈剤、または２つの異なるタイプの薬物）を別々に、各チャンバに１つずつ保存するように構成された二重チャンバカートリッジとすることができ、またはこれを含むことができる。そのような場合、二重チャンバカートリッジの２つのチャンバは、ヒトまたは動物の体内に投薬する前、および／または投薬中に薬物または薬剤の２つまたはそれ以上の成分間で混合することを可能にするように構成することができる。たとえば、２つのチャンバは、これらが（たとえば２つのチャンバ間の導管によって）互いに流体連通し、所望の場合、投薬の前にユーザによって２つの成分を混合することを可能にするように構成することができる。代替的に、またはこれに加えて、２つのチャンバは、成分がヒトまたは動物の体内に投薬されているときに混合することを可能にするように構成することができる。
【００９１】
本明細書において説明される薬物送達デバイスおよび薬物は、数多くの異なるタイプの障害の処置および／または予防に使用することができる。例示的な障害は、たとえば、糖尿病、または糖尿病性網膜症などの糖尿病に伴う合併症、深部静脈血栓塞栓症または肺血栓塞栓症などの血栓塞栓症を含む。さらなる例示的な障害は、急性冠症候群（ＡＣＳ）、狭心症、心筋梗塞、がん、黄斑変性症、炎症、枯草熱、アテローム性動脈硬化症および／または関節リウマチである。
【００９２】
糖尿病または糖尿病に伴う合併症の処置および／または予防のための例示的な薬物は、インスリン、たとえばヒトインスリン、またはヒトインスリン類似体もしくは誘導体、グルカゴン様ペプチド（ＧＬＰ−１）、ＧＬＰ−１類似体もしくはＧＬＰ−１受容体アゴニスト、またはその類似体もしくは誘導体、ジペプチジルペプチダーゼ−４（ＤＰＰ４）阻害剤、または薬学的に許容される塩もしくはその溶媒和物、またはそれらの任意の混合物を含む。本明細書において使用される用語「誘導体」は、元の物質と構造的に十分同様のものであり、それによって同様の機能または活性（たとえば治療効果性）を有することができる任意の物質を指す。
【００９３】
例示的なインスリン類似体は、Ｇｌｙ（Ａ２１），Ａｒｇ（Ｂ３１），Ａｒｇ（Ｂ３２）ヒトインスリン（インスリングラルギン）；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリンおよびＤｅｓ（Ｂ３０）ヒトインスリンである。
【００９４】
例示的なインスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。例示的なＧＬＰ−１、ＧＬＰ−１類似体およびＧＬＰ−１受容体アゴニストは、たとえば：リキシセナチド（Ｌｉｘｉｓｅｎａｔｉｄｅ）／ＡＶＥ００１０／ＺＰ１０／リキスミア（Ｌｙｘｕｍｉａ）、エキセナチド（Ｅｘｅｎａｔｉｄｅ）／エクセンディン−４（Ｅｘｅｎｄｉｎ−４）／バイエッタ（Ｂｙｅｔｔａ）／ビデュリオン（Ｂｙｄｕｒｅｏｎ）／ＩＴＣＡ６５０／ＡＣ−２９９３（アメリカドクトカゲの唾液腺によって産生される３９アミノ酸ペプチド）、リラグルチド（Ｌｉｒａｇｌｕｔｉｄｅ）／ビクトザ（Ｖｉｃｔｏｚａ）、セマグルチド（Ｓｅｍａｇｌｕｔｉｄｅ）、タスポグルチド（Ｔａｓｐｏｇｌｕｔｉｄｅ）、シンクリア（Ｓｙｎｃｒｉａ）／アルビグルチド（Ａｌｂｉｇｌｕｔｉｄｅ）、デュラグルチド（Ｄｕｌａｇｌｕｔｉｄｅ）、ｒエクセンディン−４、ＣＪＣ−１１３４−ＰＣ、ＰＢ−１０２３、ＴＴＰ−０５４、ラングレナチド（Ｌａｎｇｌｅｎａｔｉｄｅ）／ＨＭ−１１２６０Ｃ、ＣＭ−３、ＧＬＰ−１エリゲン、ＯＲＭＤ−０９０１、ＮＮ−９９２４、ＮＮ−９９２６、ＮＮ−９９２７、ノデキセン（Ｎｏｄｅｘｅｎ）、ビアドール（Ｖｉａｄｏｒ）−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド（Ｅｘｅｎａｔｉｄｅ）−ＸＴＥＮおよびグルカゴン−Ｘｔｅｎである。
【００９５】
例示的なオリゴヌクレオチドは、たとえば：家族性高コレステロール血症の処置のためのコレステロール低下アンチセンス治療薬である、ミポメルセン（ｍｉｐｏｍｅｒｓｅｎ）／キナムロ（Ｋｙｎａｍｒｏ）である。
【００９６】
例示的なＤＰＰ４阻害剤は、ビルダグリプチン（Ｖｉｌｄａｇｌｉｐｔｉｎ）、シタグリプチン（Ｓｉｔａｇｌｉｐｔｉｎ）、デナグリプチン（Ｄｅｎａｇｌｉｐｔｉｎ）、サキサグリプチン（Ｓａｘａｇｌｉｐｔｉｎ）、ベルベリン（Ｂｅｒｂｅｒｉｎｅ）である。
【００９７】
例示的なホルモンは、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、およびゴセレリンなどの、脳下垂体ホルモンまたは視床下部ホルモンまたは調節性活性ペプチドおよびそれらのアンタゴニストを含む。
【００９８】
例示的な多糖類は、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩を含む。ポリ硫酸化低分子量ヘパリンの薬学的に許容される塩の例としては、エノキサパリンナトリウムがある。ヒアルロン酸誘導体の例としては、ＨｙｌａｎＧ−Ｆ２０／Ｓｙｎｖｉｓｃ、ヒアルロン酸ナトリウムがある。
【００９９】
本明細書において使用する用語「抗体」は、免疫グロブリン分子またはその抗原結合部分を指す。免疫グロブリン分子の抗原結合部分の例は、抗原を結合する能力を保持するＦ（ａｂ）およびＦ（ａｂ’）２フラグメントを含む。抗体は、ポリクローナル、モノクローナル、組換え型、キメラ型、非免疫型またはヒト化、完全ヒト型、非ヒト型（たとえばマウス）、または一本鎖抗体とすることができる。いくつかの実施形態では、抗体はエフェクター機能を有し、補体を固定することができる。いくつかの実施形態では、抗体は、Ｆｃ受容体と結合する能力が低く、または結合することはできない。たとえば、抗体は、アイソタイプもしくはサブタイプ、抗体フラグメントまたは変異体とすることができ、Ｆｃ受容体との結合を支持せず、たとえば、これは、突然変異したまたは欠失したＦｃ受容体結合領域を有する。
【０１００】
用語「フラグメント」または「抗体フラグメント」は、全長抗体ポリペプチドを含まないが、抗原と結合することができる全長抗体ポリペプチドの少なくとも一部分を依然として含む、抗体ポリペプチド分子（たとえば、抗体重鎖および／または軽鎖ポリペプチド）由来のポリペプチドを指す。抗体フラグメントは、全長抗体ポリペププチドの切断された部分を含むことができるが、この用語はそのような切断されたフラグメントに限定されない。本発明に有用である抗体フラグメントは、たとえば、Ｆａｂフラグメント、Ｆ（ａｂ’）２フラグメント、ｓｃＦｖ（一本鎖Ｆｖ）フラグメント、直鎖抗体、二重特異性、三重特異性、および多重特異性抗体（たとえば、ダイアボディ、トリアボディ、テトラボディ）などの単一特異性または多重特異性抗体フラグメント、ミニボディ、キレート組換え抗体、トリボディまたはバイボディ、イントラボディ、ナノボディ、小モジュラー免疫薬（ＳＭＩＰ）、結合ドメイン免疫グロブリン融合タンパク質、ラクダ化抗体、およびＶＨＨ含有抗体を含む。抗原結合抗体フラグメントのさらなる例は、当技術分野で知られている。
【０１０１】
用語「相補性決定領域」または「ＣＤＲ」は、特異的抗原認識を仲介する役割を主に担う重鎖および軽鎖両方のポリペプチドの可変領域内の短いポリペプチド配列を指す。用語「フレームワーク領域」は、ＣＤＲ配列ではなく、ＣＤＲ配列の正しい位置決めを維持して抗原結合を可能にする役割を主に担う重鎖および軽鎖両方のポリペプチドの可変領域内のアミノ酸配列を指す。フレームワーク領域自体は、通常、当技術分野で知られているように、抗原結合に直接的に関与しないが、特定の抗体のフレームワーク領域内の特定の残基が、抗原結合に直接的に関与することができ、またはＣＤＲ内の１つまたはそれ以上のアミノ酸が抗原と相互作用する能力に影響を与えることができる。
【０１０２】
例示的な抗体は、アンチＰＣＳＫ−９ｍＡｂ（たとえばアリロクマブ（Ａｌｉｒｏｃｕｍａｂ））、アンチＩＬ−６ｍＡｂ（たとえばサリルマブ（Ｓａｒｉｌｕｍａｂ））、およびアンチＩＬ−４ｍＡｂ（たとえばデュピルマブ（Ｄｕｐｉｌｕｍａｂ））である。
【０１０３】
本明細書において説明される化合物は、（ａ）化合物または薬学的に許容されるその塩、および（ｂ）薬学的に許容される担体を含む医薬製剤において使用することができる。化合物はまた、１つまたはそれ以上の他の医薬品有効成分を含む医薬製剤、または存在する化合物またはその薬学的に許容される塩が唯一の有効成分である医薬製剤において使用することもできる。したがって、本開示の医薬製剤は、本明細書において説明される化合物および薬学的に許容される担体を混合することによって作られる任意の製剤を包含する。
【０１０４】
本明細書において説明される任意の薬物の薬学的に許容される塩もまた、薬物送達デバイスにおける使用に企図される。薬学的に許容される塩は、たとえば酸付加塩および塩基性塩である。酸付加塩は、たとえば、ＨＣｌまたはＨＢｒ塩である。塩基性塩は、たとえば、アルカリもしくはアルカリ土類金属、たとえばＮａ＋、もしくはＫ＋、もしくはＣａ２＋、またはアンモニウムイオンＮ＋（Ｒ１）（Ｒ２）（Ｒ３）（Ｒ４）（式中、Ｒ１からＲ４は互いに独立して：水素、場合により置換されたＣ１〜Ｃ６−アルキル基、場合により置換されたＣ２〜Ｃ６−アルケニル基、場合により置換されたＣ６〜Ｃ１０−アリル基、または場合により置換されたＣ６〜Ｃ１０−ヘテロアリール基を意味する）から選択されるカチオンを有する塩である。薬学的に許容される塩のさらなる例は、当業者に知られている。
【０１０５】
薬学的に許容される溶媒和物は、たとえば、水和物またはメタノラート（ｍｅｔｈａｎｏｌａｔｅ）またはエタノラート（ｅｔｈａｎｏｌａｔｅ）などのアルカノラート（ａｌｋａｎｏｌａｔｅ）である。
【０１０６】
本明細書に記載の物質、配合、装置、方法、システムおよび実施形態の様々な構成要素の改変（追加および／または削除）は、本発明の全範囲および趣旨から逸脱することなく行うことができ、本発明は、そのような改変、および本発明のあらゆる均等物もすべて包含することが当業者には理解されよう。
【図１】
2019501676.tif 000003
【図２Ａ】
2019501676.tif 000004
【図２Ｂ】
2019501676.tif 000005
【図２Ｃ】
2019501676.tif 000006
【図２Ｄ】
2019501676.tif 000007
【図２Ｅ】
2019501676.tif 000008
【図３】
2019501676.tif 000009
【図４Ａ】
2019501676.tif 000010
【図４Ｂ】
2019501676.tif 000011
【図４Ｃ】
2019501676.tif 000012
【図４Ｄ】
2019501676.tif 000013
【図４Ｅ】
2019501676.tif 000014
【図５Ａ】
2019501676.tif 000015
【図５Ｂ】
2019501676.tif 000016
【図５Ｃ】
2019501676.tif 000017
【図６】
2019501676.tif 000018
【図７Ａ】
2019501676.tif 000019
【図７Ｂ】
2019501676.tif 000020
【図８】
2019501676.tif 000021
【国際調査報告】
2019501676.tif 000022
2019501676.tif 000023
2019501676.tif 000024